(57)【要約】【課題】対象物を把持するときのグリップ力を確保すると伴に、手首の内外転運動のスムーズな動きと運動範囲を確保し、手の運動性向上に寄与する運動用手装着体を提供する。【解決手段】本発明の運動用手装着体は、第２指から第５指のいずれかの第１節部分に抵抗を与え、各指関節を意図的に屈曲や伸展をさせるようにすることで、対象物を把持する際、手根骨を平面的に保てるようにして、手根関節の内外転運動をスムーズにし、限度近くまで運動範囲を確保して、手の運動性向上に寄与するものである。【選択図】  図１
2005152403.tif 000002
【特許請求の範囲】
【請求項１】
人差し指、中指、薬指及び小指の少なくとも１つの第１節部分に装着する環状体であって、該環状体の指背側に重り部を有し、該環状体の指の背に接する指背面の摩擦係数と、指の腹に接する指腹面の摩擦係数とを異なるようにしたことを特徴とする運動用手装着体。
【請求項２】
前記環状体の重り部を、該環状体と別の部材で構成したことを特徴とする請求項１に記載の運動用手装着体。
【請求項３】
前記指背面を有する指背抵抗体と前記指腹面を有する指腹抵抗体の一方又は双方を、前記環状体に設けたことを特徴とする請求項１又は請求項２に記載の運動用手装着体。
【請求項４】
前記環状体が一方及び他方を有する帯状形であって、該環状体に指の第１節部分を巻き締めるための止着部を設けたことを特徴とする請求項１から請求項３のいずれかに記載の運動用手装着体。
【請求項５】
前記環状体が２つの部材で構成され、前記２つの部材がヒンジによって連結されたことを特徴とする請求項１から請求項３のいずれかに記載の運動用手装着体。
【請求項６】
手掌を覆い第１節指腹部を含む手掌部と手の甲を覆い第１節指背部及び中手指節関節部を含む手甲部とを有する手袋本体と、一方が人差し指、中指、薬指及び小指の少なくとも１つの前記第１節指腹部に固定され、指の橈側又は尺側を螺旋状に巻くようにして通り、他方が中手指節関節部寄りの前記第１節指背部に固定された屈曲抵抗体とからなる運動用手装着体。
【請求項７】
小指第１節指腹下部と手甲皮部とを有する野球用グローブ本体と、一方が前記小指第１節指腹下部に固定され、小指の尺側を巻きながら通って人差し指方向に向かい、他方が前記手甲皮部に固定された引張体とからなる運動用手装着体。
【請求項８】
前記引張体を前記野球用グローブ本体より着脱可能とするために、該野球用グローブ本体と該引張体とを面ファスナーによって固定したことを特徴とする請求項７に記載の運動用手装着体。
【請求項９】
野球用グローブ本体の小指第１節指腹下部と手甲皮部とに固定するための面ファスナーを両側に有し、アジャスト部を設けたことを特徴とする引張体。
【発明の詳細な説明】
【技術分野】
【０００１】
本発明は、スポーツ、音楽演奏、彫刻等の芸術的創作活動など、手の運動性向上に寄与する運動用手装着体に関する。
【背景技術】
【０００２】
手の運動性向上に関し従来技術として、対象物を把持する時などに手や指に装着して、その対象物把持の確実性やグリップ力の向上を図ろうとする手装着体があった（例えば、特開平１０−５２５２２号公報、特開２００２−６５９２８号公報、実用新案第３０５３０３８号公報、特開平９−７５４９７号公報参照）。
【０００３】
特開平１０−５２５２２号公報は、手で用具を操るスポーツ等におけるグリップを強化、確実にする指ぬき、特開２００２−６５９２８号公報は、スポーツ用手袋、実用新案第３０５３０３８号公報は、ゴールキーパー用グラブ、及び特開平９−７５４９７号公報は、野球用捕球具であり、形態はそれぞれ異なるが、スポーツ時に手に装着して、対象物把持の確実性やグリップ力の向上を図ろうとするものである。
【０００４】
しかしながら、これら文献に記載の手装着体は、対象物把持の確実性やグリップ力の向上を図ろうとするものではあるが、実際のスポーツにおいての手は、手首の関節が絶えず運動を行いながら対象物を把持しており、前記従来技術などにおいては単に対象物を把持するという行為のみの工夫であって、このような手首の関節の運動を考慮されたものではなかった。
【特許文献１】特開２００２−６５９２８号公報
【特許文献２】特開平１０−５２５２２号公報
【特許文献３】特開平９−７５４９７号公報
【特許文献４】実用新案第３０５３０３８号公報
【発明の開示】
【発明が解決しようとする課題】
【０００５】
まず手の構造を簡単に説明すると、手を構成する骨は大きく３つに分けられ、８つの小さな骨で形成される手根骨と、手掌に位置する５つの骨の中手骨及び、５本の指を形成する合計１４個の指節骨で構成される（図２８参照）。
【０００６】
手関節は、前腕の橈骨下端と手根骨の近位列との間の橈骨手根関節及び、近位と遠位手根列との間の手根中央関節の２つからなる手根関節、遠位手根列と中手骨との間の手根中手関節、中手骨と指節骨との間の中手指節関節及び、各指節間の指節間関節で構成される。
【０００７】
そして、手首と指を動かす筋群の腱が、前記骨の各停止部に付着し、筋の収縮によって対象物の把持や各種の運動が可能となる。
【０００８】
手の基本運動は、手根関節の働きによって手首の屈曲−伸展運動と内転−外転運動を行い、各中手指節関節の働きによって各指の屈曲−伸展運動と内転−外転運動を行い、各指節間関節の働きによって各指の屈曲−伸展運動を行うことができる（図２９、図３２参照）。
【０００９】
前記運動の中でも手根関節の内外転運動は、８つの手根骨が有機的に移動することによって成り立っている（図３０参照）。
【００１０】
本発明は、手根関節の運動特性に注目して、対象物を把持するときのグリップ力を確保すると伴に、手首の内外転運動のスムーズな動きと運動範囲を確保するという新しい課題を解決するためになされたものである。よって本発明の目的は、手に装着することによって、対象物を把持するときのグリップ力を確保すると伴に、手首の内外転運動のスムーズな動きと運動範囲を確保し、手の運動性向上に寄与する運動用手装着体を提供することにある。
【課題を解決するための手段】
【００１１】
本発明の請求項１に記載の運動用手装着体は、人差し指、中指、薬指及び小指の少なくとも１つの第１節部分に装着するよう環状形をなし、該環状体の指背側に重り部を有し、該環状体の指の背に接する指背面の摩擦係数と、指の腹に接する指腹面の摩擦係数とを異なるようにする。
【００１２】
このように運動用手装着体を構成して手に装着することによって、手に以下の作用を及ぼし、手首の内外転運動のスムーズな動きと運動範囲の確保を行うものである。
【００１３】
通常、手で対象物を把持しようとして深指屈筋の作用が働いた場合、中手指節関節（ＭＰ関節）、近位指節関節（ＰＩＰ関節）及び遠位指節関節（ＤＩＰ関節）の３つの関節が（図３２参照）、ほぼ同時に屈曲し始めることが知られており、３つの各指関節の屈曲角度は、動作初期の段階からＰＩＰ関節が最も大きくなることが知られている。
【００１４】
そして指関節の屈曲と伴に、手掌にくぼみを形成するため及び親指に対立するために、手根中手関節が屈曲し、第２中手骨から第５中手骨にかけてその屈曲度合いを増加させる。これは手根骨の有鈎骨などが働き、手根骨前面に湾曲を生じさせることによって、第４と第５の手根中手関節面が第２と第３の手根中手関節面に対して斜位が増すことによるものである（図３１参照）。
【００１５】
橈骨手根関節は、橈骨下端と手根骨の近位列との間で運動する楕円関節であり、近位列と遠位列の手根骨との間の手根中央関節と伴に手首の内外転と屈伸運動を行っており、８つの骨で形成される手根骨が、その運動に応じて互いに連携しながらポジションを少し変化させて内外転と屈伸運動の機能を果たしている（図３０参照）。
【００１６】
この手根骨が前額面に対して平面的な時と、湾曲した時の内外転運動を比べると、平面的な方がスムーズな動きとなり、可動範囲も広くなりやすくなる。
【００１７】
これは、手根骨が前額面に対して湾曲した場合、橈骨下端の凹面と手根骨近位列関節面の凸面に、内外転角度が増すにつれて矢状面方向に対するずれが増大することになり、そのずれが、手根関節の内外転運動の円滑さを妨げたり、最大可動範囲の低下を招いているものと推測される。
【００１８】
この手根骨の湾曲は、対象物を把持しようとする際、第２指から第５指が屈曲すると、手根中手関節や中手指節関節が第１指親指に対立する方向に可動するために生ずるものである。よって、手根骨をできるだけ平面的に保ちながら対象物を把持するためには、従来手が行っていた対象物把持の動作順序を少し変え、第２指から第５指の第１指親指への対立をできるだけ和らげるようにすることである。
【００１９】
そこで、前記運動用手装着体を前記のように構成し、人差し指、中指、薬指及び小指の少なくとも１つの第一節部分に装着し、ＭＰ関節を能動的に屈曲させることによって、できるだけ手根骨を平面的に保つよう作用を起こさせ、手首の内外転運動のスムーズな動きと運動範囲を確保しようとするものである。
【００２０】
前記運動用手装着体がＭＰ関節を能動的に屈曲させるそのメカニズムは、通常ＰＩＰ関節が屈曲すると、第１節指の背の皮膚が中節骨方向に引っ張られ、第１節指の腹のＰＩＰ関節側が少し外側に脹らむ。この時、指の背の皮膚に接する環状体の指背面は、指の背の皮膚に追随しようとしてＰＩＰ関節側に引っ張られる力が働く。また、第１節指ＰＩＰ関節寄りの外径の方がＭＰ関節寄りの外径の方より太くなり、指の腹の皮膚に接する環状体の指腹面は、ＭＰ関節側に押されるような力が働く。よって、環状体を指の横側から見たとき、指背側と指腹側とで左右の外力が働くことになる（図３３（Ａ）参照）。
【００２１】
そして、前記外力の反力として環状体自身の内力により、該環状体が指の皮膚の移動を妨げる方向の反作用が働くことになるが、これだけの要素だけでは手根骨を平面的に保つような作用を起こさせることはできない。
【００２２】
そこで、できるだけ手根骨を平面的に保つような作用を起こさせる手段として、本発明の請求項１に記載の運動用手装着体は、環状体の指背側に重り部を有し、該環状体の指背面と指腹面の摩擦係数を異なるようにしている。
【００２３】
前記のように構成することによって、ＰＩＰ関節の屈曲が屈曲初期の段階で妨げられ、その代わりにＭＰ関節が能動的に屈曲することによって、第２指から第５指の第１指親指への対立をできるだけ和らげるようにすることができ、手根骨も平面的に保つことができる。
【００２４】
この環状体の指背側に有した重り部と、該環状体の指背面と指腹面の摩擦係数を異なるようにしたことによるＰＩＰ関節及びＭＰ関節への作用メカニズムは、次のような推論によるものである。
【００２５】
まずは重り部について、環状体を第２指から第５指の少なくとも一つの第１節部分に装着し、重り部を指背側に配することによって、装着された指がその重さを支えようとして、第２指から第５指の伸展を司る筋（総指伸筋、指示伸筋、小指伸筋）が活動し、ＭＰ関節が自然肢位よりやや伸展する。この状態から対象物を把持しようと指関節を屈曲させるとき、自然にＭＰ関節を屈曲させるときより能動的に屈曲する必要が生じ、屈曲の初期の段階において、指の屈筋（深指屈筋、浅指屈筋）よりも虫様筋が先に活動が生じるものと考えられる。よって、対象物把持の初期の段階において、虫様筋の働きであるＭＰ関節を屈曲させてＰＩＰ関節及びＤＩＰ関節を伸展させるという働きを、重り部が担うものであると考えられる。
【００２６】
次に、環状体の指背面と指腹面の摩擦係数を異なるようにする推論については、まずＰＩＰ関節の屈折によって第１節指の皮膚が移動し、その移動によって生じる力が、外力として環状体の指背面と指腹面の摩擦によって該環状体に伝達される。しかし、外力を受けた状態のままでは環状体が変形することになるので、環状体の内力が反作用として働いてその形状を維持しようとする。
【００２７】
そしてこの時、該環状体の指背面と指腹面との摩擦係数が同じである場合、環状体の指背面が受ける外力と指腹面が受ける外力とを、それぞれの指背面と指腹面の摩擦力で等しく受け持ち合おうとし、結果摩擦力が分散されて、指と該環状体が滑りやすい状態になり、反力が皮膚に伝わり難く、ＰＩＰ関節の初期の屈曲を妨げるという作用が働き難いと考えられる（図３３（Ｂ）参照）。
【００２８】
一方、環状体の指背面と指腹面と摩擦係数を異なるように設定した場合、環状体の指背面が受ける外力と指腹面が受ける外力の双方を合わせた外力を、摩擦係数が高い方の片面が受け持つように働いて片面の摩擦力が増大し、反力が皮膚に伝わりやすくなって、ＰＩＰ関節の初期の屈曲を妨げるという作用が働くものと考えられる（図３３（Ｃ）参照）。
【００２９】
そして、この重り部を環状体の指背側に配することと、該環状体の指背面と指腹面と摩擦係数を異なるようにすることの２つの要素が合わさることによって、ＰＩＰ関節の初期の屈曲を通常の動きより遅らせる働きをし、その分ＭＰ関節の屈曲角度を増大させるよう作用する。その作用は、深指屈筋腱の分岐後に起始して、総指伸筋の腱に停止する虫様筋の働きと似ており、通常は受動的にＭＰ関節の屈曲がなされるのを能動的にＭＰ関節を屈曲させ、その結果、第２指から第５指の第１指親指への対立をできるだけ和らげるように作用する。そのことにより、第２指から第５指にかけての斜位の増加を抑え、手根骨前面の湾曲度合いも抑えることができ、橈骨手根関節においても手根骨が平面的に保たれて、手首の内外転運動のスムーズな動きと運動範囲が確保することができる。
【００３０】
また、対象物把持のグリップ力についても、ＭＰ関節、ＰＩＰ関節及びＤＩＰ関節のそれぞれの屈曲度合いが少し変わるものの、各関節の調和は保たれて対象物を把持するので、グリップ力も充分に確保されるものである。
【００３１】
また、人差し指、中指、薬指及び小指の少なくとも１つでよい点については、その屈伸運動の動力源である総指伸筋、虫様筋、深指屈筋及び浅指屈筋は４つの腱に分かれてそれぞれの指の骨に付着する構造となっているため、一つの指に運動用手装着体によってもたされた作用が、他の指についても同調して動作するものと考えられ、人差し指、中指、薬指及び小指のうち一つの指だけに運動用手装着体を装着しても効果が得られ、四つの指全てに装着しても同様の効果となる。
【００３２】
本発明の請求項２に記載の運動用手装着体は、前記環状体の重り部を該環状体と別の部材で構成する。
【００３３】
このように構成することにより、環状体の材料の種類を増やすことができ、多様な運動用手装着体を提供することができる。
【００３４】
本発明の請求項３に記載の運動用手装着体は、前記指背面を有する指背抵抗体と前記指腹面を有する指腹抵抗体の一方又は双方を前記環状体に設ける。
【００３５】
このように構成することにより、前記環状体の指背面と指腹面とに多様な摩擦係数を持つ部材で構成することができ、ＰＩＰ関節が屈曲する際の抵抗としての役割をより確実に果たすことができる。
【００３６】
本発明の請求項４に記載の運動用手装着体は、前記環状体が一方及び他方を有する帯状形をなし、該環状体に指の第１節部分を巻き締めるための止着部を設ける。
【００３７】
このように構成することにより、前記環状体の内径を装着する指の太さに合わせることができ、予め指の太さに合わせたサイズを幾種類も作る必要がなく、一つの運動用装着体で人差し指、中指、薬指及び小指のいずれの指にも装着することができる。
【００３８】
本発明の請求項５に記載の運動用手装着体は、前記環状体が２つの部材で構成し、前記２つの部材をヒンジによって連結する。
【００３９】
このように構成することにより、前記環状体が硬い材質であった場合でも環状体の内径を指の太さに合わせることができ、予め指の太さに合わせたサイズを幾種類も作る必要がなく、一つの運動用装着体で人差し指、中指、薬指及び小指のいずれの指にも装着することができる。
【００４０】
本発明の請求項６に記載の運動用手装着体は、手掌を覆い第１節指腹部を含む手掌部と手の甲を覆い第１節指背部及び中手指節関節部を含む手甲部とを有する手袋本体と、一方を人差し指、中指、薬指及び小指の少なくとも１つの前記第１節指腹部に固定し、指の橈側又は尺側を螺旋状に巻くようにして通って、他方を中手指節関節部寄りの前記第１節指背部に固定する屈曲抵抗体とで構成する。
【００４１】
このように構成することにより、前記屈曲抵抗体が、対象物を把持しようと当該指が屈曲するときに、引っ張り力が働いてＭＰ関節の屈曲の抵抗となる。この抵抗に対抗するために、自然とＭＰ関節を屈曲させるときより能動的に屈曲させる必要が生じ、対象物把持の初期の段階において、虫様筋の働きであるＭＰ関節を屈曲させてＰＩＰ関節及びＤＩＰ関節を伸展させることになり（図３４参照）、その結果、第２指から第５指の第１指親指への対立をできるだけ和らげるように作用する。
【００４２】
本発明の請求項７に記載の運動用手装着体は、小指第１節指腹下部と手甲皮部とを有する野球用グローブ本体と、一方を前記小指第１節指腹下部に固定し、小指の尺側を巻きながら通って人差し指方向に向かい、他方を前記手甲皮部に固定する引張体とで構成する。
【００４３】
このように構成することにより、前記運動用手装着体でボールを捕球しようとするとき、小指の第一節部分が引張体によって引っ張られ、第５指である小指の手根中手関節面が第２指から第４指の手根中手関節面に対する斜位の増加を防ぐことができ、手根骨をできるだけ平面的に保つことができる。
【００４４】
本発明の請求項８に記載の運動用手装着体は、前記引張体を前記野球用グローブ本体より着脱可能とするために、該野球用グローブ本体と該引張体との固定を面ファスナーによっておこなうようにする。
【００４５】
このような構成にすることによって、引張体が着脱可能となり、引張体の破損時にも対応でき、様々な色などの引張体と取り替えることが可能となる。また、運動用手装着体へ手を挿入するとき、手甲皮部側の固定部を解放し、挿入後に面ファスナーによって固定することで手の挿入が楽におこなえ、小指第一節の部分の引っ張り力も調整することができる。
【００４６】
本発明の請求項９に記載の引張体は、野球用グローブ本体の小指第１節指腹下部と手甲皮部とに固定するための面ファスナーを両側に有し、アジャスト部を設けるようにする。
【００４７】
このような構成にすることによって、既存の野球用グローブに対しても簡単に装着することができ、自在に着脱することが可能となる。また、アジャスト部を設けることによって、野球用グローブ本体と手との一体感を向上させることができる。
【発明の効果】
【００４８】
本発明によれば、運動用手装着体を手に装着することで、対象物の把持をおこなうとき、グリップ力を確保しながら、第２指から第５指の第１指親指への対立をできるだけ和らげるようにし、手根骨ができるだけ平面的に保たれるようにすることによって、手首の内外転運動のスムーズな動きと運動範囲が確保することができ、手の運動性向上に寄与することができる。
【００４９】
本発明の形態別の効果は、環状体の運動用手装着体においては、かさばらず軽量で簡単に装着することができ、素手で対象物を把持し手首を運動させるほとんどの動作に有効で、例えばスポーツであれば、テニス、バドミンントン、スカッシュにおけるラケットの把持、野球のバッティングおけるバットの把持、ボートにおけるオールの把持、ウインドサーフィンにおけるブームの把持等の運動が挙げられ、音楽活動であれば、ギター、バイオリン、太鼓、ドラム等の演奏が挙げられ、そして芸術的創作活動であれば、彫刻、絵画、陶芸、書道等が挙げられる。
【００５０】
また、対象物の把持だけではなく、手が自然肢位にあるときにも手根骨を平面的に保つ作用が働き、手首の運動性向上の効果がある。例えば、ランニングにおいては対象物を把持するものではないが、環状体の運動用手装着体を装着することによって、自然肢位よりもＭＰ関節が少し伸展するので、手根骨の前面の湾曲もやや和らいで、手根関節の運動もやや向上して、肘を前後に振りやすくなるという効果がある。
【００５１】
また、手掌を伸ばして行う手の運動において、例えば、ハンドボールにおけるゴールキーパーがボールをはじいたりキャッチするときやバレーにおけるアタックをする場合に、環状体の運動用手装着体を人差し指に装着することによっても手根骨を平面的に保つ作用が働き、手首の運動性向上の効果がある。
【００５２】
手袋形態の運動用手装着体の効果については、屈曲抵抗体を設けることによって、対象物を把持しようとするとき、屈曲抵抗体が引っ張られる（図３４参照）。この引っ張り力に対抗するためにＭＰ関節を能動的に屈曲させる必要が生じ、第２指から第５指の第１指親指への対立をできるだけ和らげるように作用し、手根骨を平面的に保つようにすることで、手首の内外転運動のスムーズな動きと運動範囲が確保することができ、手の運動性向上に効果がある。また、指の屈曲運動の初期段階において抵抗を感じるだけであるから、指に与える違和感もなく、ＭＰ関節を能動的に屈曲させ、最終的に対象物を把持したときに末節骨を効果的に屈曲させることができるので、グリップ力も充分に確保することができる。
【００５３】
また、その効果がある使用例としては、ゴルフのスィングにおけるクラブの把持、野球やソフトボールのバッティングにおけるバットの把持、スキーのストックの把持、自動車運転のハンドル把持等に使用する各種スポーツ用手袋の他、作業用手袋、医療用手袋及び調理用手袋の用途等が挙げられる。
【００５４】
また、対象物の把持だけではなく、手が自然肢位にあるとき例えばランニングのとき等に手首の運動性向上に効果があり、肘が前後に振りやすくなって身体動作にも好影響を与える。
【００５５】
また、人差し指に屈曲抵抗体が設けられている手袋形状の運動用手装着体は、手掌を伸ばしながらの運動のときも手首の運動性向上に効果がある。例えばサッカーのゴールキーパーやスノーボード等の運動をおこなうときで、手首の運動性向上に伴い身体のバランスもよくなって、身体動作にも好影響を与えることができる。
【００５６】
野球用グローブ形態の運動用手装着体の効果については、野球用グローブに引張体を設けることにより、ボールを捕球しようとするとき、小指の第一節部分が引張体によって引っ張られることによって、手根骨を平面的に保つことができ、手首の内外転運動のスムーズな動きと運動範囲が確保することができるので、ボールの捕球時における野球用グローブの差し出す範囲が広くなる。また、グリップ力の確保について、小指の第一節部分は引張体によって甲側に引っ張られるが、その分末節骨が屈曲するので、ボールを保持する力を充分に確保することができる。
【００５７】
また、野球に限らずソフトボールにおいても、捕球時のグローブを差し出す範囲が広くなり、捕球から投球への次の動作も早く行えるようになる。また、ピッチングにおいてもグローブを装着した方の腋をしっかりと締めることができ、投球ホームの安定へとつなげることができる。
【発明を実施するための最良の形態】
【００５８】
以下、図１〜図２７を用いて本発明の実施の形態について説明する。
【００５９】
（実施の形態１）まずは図１及び図２を用いて、実施の形態１について説明する。図１は、本発明の実施の形態１における運動用手装着体１０の斜視図、図２は装着状態を表した図である。
【００６０】
この実施の形態１の運動用手装着体１０は、図１及び図２に示すように、指の第１節Ｅ１部分に装着するために環状体１１をなし、指背側に重り部１２を有して、前記環状体１１の指の背に接する指背面１３の摩擦係数と、指の腹に接する指腹面１４の摩擦係数とを異なるようにしている。
【００６１】
上記環状体１１は、一体型で形成されており、その材料は、金、銀、銅、プラチナ、鉄、亜鉛、アルミニウム及びチタン等の金属やステンレス鋼、真鍮、アルミニウム合金及びチタン合金等の各種合金の金属材料と、セラミックス及びガラス等の非金属材料の無機材料が挙げられる。また、塩化ビニル樹脂、ポリスチレン、ポリエチレン、アクリル及びポリカーボネート等の各種プラスチック、天然ゴム、ブチルゴムやブタジエンゴム等の合成ゴム、また、松、杉、桧、桐、桜等の無垢又は合板の木材の有機材料でもよく、またこれら材料を組み合わせた金属基、セラミックス基及び高分子基の複合材料であってもよい。
【００６２】
環状体１１の形状は、指背面１３と指腹面１４とがあれば横側は紐状であってもよく、帯状であってもよく、波形にデザインされていてもよい。
【００６３】
環状体１１の成形方法は、射出成形や押出成形など各材料の特性に合った一般的に用いられる方法でよい。
【００６４】
上記重り部１２の重量は、手の大きさや筋力に男女差や年齢差の個人差があるため特定はできないが、参考値として一般成人男性で３．４グラム程度以上であればよく、上限はさほど重たさを感じない程度であればよい。好ましくは、３．５グラム〜１０グラム程度の範囲とすればよい。
【００６５】
また、重り部１２の大きさは各種材料と重さによって決まり種々考えられるが、発明の課題が手首の運動性の向上にあり、それを考慮してあまり大きくなりすぎないように各種材料の比重と大きさとを考慮して環状体１１の材料を決めればよい。
【００６６】
また、重り部１２の形状は特に定めはなく、各種のデザインを施し装飾性を持たせれば、外観がよくなり、装飾品としての価値が生まれることになる。
【００６７】
環状体１１の指背面１３と指腹面１４の摩擦係数が異なるようにする方法としては、成形時に片面の表面に細かな凹凸を付けるようにするか又は、成形後に片面にエッチングや研磨を施して指背面１３と指腹面１４の摩擦係数が異なるようにする方法と、使用時に片面だけ水分を増加させて指背面１３と指腹面１４との摩擦係数が異なるようにする方法とが挙げられる。
【００６８】
一般に個体の表面に摩擦が生じる原因として、以下のようなことが考えられるとされている。
（１）二つの面の凹凸が互いにかみあい、それを乗り越えようとするとき（凹凸説）。
（２）二つの面の真実接触部において、分子的レベルでの付着（疑着）が生じ、これがせん断でちぎれるとき（疑着説）。
（３）凹凸説と疑着説が並列して働くとき。
（４）硬い面が軟らかい相手面を掘り起こすとき。
【００６９】
また、接触面に平行に働く摩擦力をＦ、接触面を垂直方向に押しつける力（垂直荷重）をＷとすると、Ｆ＝μＷ（式１）の関係が成り立ち、式１で表されたμが摩擦係数と呼ばれる定数である。
【００７０】
上記の環状体１０の指背面１３と指腹面１４の摩擦係数が異なるようにする方法は、上記の摩擦に関する学説により、一つは凸凹説による方法を用い、指背面１３と指腹面１４のどちらかの片面に凹凸を付けることによって皮膚との摩擦が増大するようにし、指背面１３と指腹面１４の摩擦係数が異なるようにした方法を採用したものである。そしてもう一つは、疑着説による方法を用い、使用時に指背面１３と指腹面１４のどちらかの片面だけ水分を増加させて、指背面１３又は指腹面１４と皮膚との間に水分が介在することによる分子間の疑着（水のファンデルワールス力と呼ばれる分子間力が働くものと考えられる）を増加させることによって摩擦力を増大させ、指背面１３と指腹面１４の摩擦係数が異なるようにした方法を採用した。
【００７１】
また、摩擦力は摩擦力に働く垂直力に比例し、見かけの接触面積の大小には関係しないことから、指背面１３又は指腹面１４の表面積は摩擦が発生する程度の面積があればよく、環状体１１の形状や材質によっては僅かな接触面積（参考値として０．２平方センチメートル程度）でも摩擦面としての効力を充分に備えるものである。
【００７２】
運動用手装着体１０を以上のような形態にすることで、対象物を把持しようとした場合、装着した指のＰＩＰ関節の屈曲を遅らせるようにし、ＭＰ関節を能動的に屈曲させて、手根骨を平面的に保つように作用させることにより、手首の運動性の向上が可能となる。
【００７３】
また、一体成形とすることでコストも安くすることができ、環状体１１の重り部１２に装飾性を持たすことによって、装飾品としての価値が生じることにもなる。
【００７４】
（実施の形態２）次に図３を用いて、本発明の実施の形態２について説明する。図３は、本発明の実施の形態２における運動用手装着体２０の斜視図である。
【００７５】
この実施の形態２の運動用手装着体２０は、図３に示すように、輪の一部分を欠いた形で環状体２１が形成されている。
【００７６】
この環状体２１の材料が塑性を有するものであるとき、このように輪の一部分を欠いた形で環状体２１を形成することによって、指の太さに合わせて環状体２１の内径を調節することができ、装着サイズの種類を減らすことができる。
【００７７】
また、このように輪の一部分を欠いた形で環状体２１を形成した場合であっても、実施の形態１の場合と同様の効果が得られるものであることは言うまでもない。
【００７８】
（実施の形態３）次に図４及び図５を用いて、本発明の実施の形態３について説明する。図４（Ａ）は、本発明の実施の形態３における運動用手装着体３０の正面図。図４（Ｂ）は、前記運動用手装着体３０のＹ３−Ｙ３断面図。図５（Ａ）は、運動用手装着体３０を指に装着するときの様子を表した図。図５（Ｂ）は、装着状態を指先方向から見た図である。
【００７９】
この実施の形態３の運動用手装着体３０は、図４及び図５に示すように、環状体３１の重り部３２を、該環状体３１と別の部材で構成している。
【００８０】
前記環状体３１の材質は、実施の形態１で示したものの他に、絹、綿、麻、毛等の単独或いは混合した天然繊維の布又はニット、ポリウレタン、ポリエステル、ナイロン、アクリル、テトロン、ビニロン等の単独或いは混合した合成繊維の布又はニット、天然繊維と合成繊維とを混合した布又はニット、ゴム糸又はスパンデックス繊維を混合した前記布又はニット、天然皮革、合成皮革、シリコン、ウレタン等の弾性体であってもよい。
【００８１】
また、環状体３１を必ずしも材料成形の段階で環状形にする必要はなく、帯状形に形成した後、端部を縫着、接着、粘着、熱圧着又は熱融着等の方法で固定して環状形にすればよい。
【００８２】
また、別部材とした重り部３２の材質、重さ、大きさ、形状については、実施の形態１に準ずるものとして差し支えない。また、重り部３２が磁石や磁気性をおびたものであってもよい。
【００８３】
また、図５（Ａ）で示すように、必ずしも環状体３１と重り部３２が予め固定されていなくてもよく、指の第１節部分に装着するときに、重り部３２を環状体３１と指の背の部分との間に挟み込み、環状体３１と指との間で生ずる圧力で固定すればよい。
【００８４】
また、予め環状体３１と重り部３２を固定する場合は、環状体３１と重り部３２の材質及び形状により縫着、粘着、熱圧着又は熱融着等の方法で固定すればよい。
【００８５】
以上のように環状体３１の重り部３２を、該環状体３１と別の部材で構成することによって、環状体３１の材料の種類が増えることになり、多様な運動用手装着体３０を作ることができる。
【００８６】
（実施の形態４）次に図６を用いて、本発明の実施の形態４について説明する。図６（Ａ）は、本発明の実施の形態４における運動用手装着体４０の正面図。図６（Ｂ）は、前記運動用手装着体４０のＹ４−Ｙ４断面図である。
【００８７】
この実施の形態４の運動用手装着体４０は、図６に示すように、環状体４１の重り部４２を、該環状体４１と別の部材で構成し、環状体４１の外側に重り部４２を固定している。
【００８８】
このように環状体４１の重り部４２を、該環状体４１と別の部材で構成することによって、環状体４１の材料の種類が増えることになり、多様な運動用手装着体４０を作ることができる。また、環状体４１と重り部４２とを固定しているので、片方だけを紛失する事が無くなり、装着も容易になる。
【００８９】
（実施の形態５）次に図７を用いて、本発明の実施の形態５について説明する。図７（Ａ）は、本発明の実施の形態５における運動用手装着体５０の正面図。図７（Ｂ）は、前記運動用手装着体５０のＹ５−Ｙ５断面図である。
【００９０】
この実施の形態５の運動用手装着体５０は、図７に示すように、環状体５１に指腹面５４を有する指腹抵抗体５６を設けている。
【００９１】
このように環状体５１に指腹面５４を有する指腹抵抗体５６を設けるのは、指背面５３と指腹面５４の摩擦係数を確実に異なるようにするためであり、前記環状体５１に設ける指腹抵抗体５６は、該環状体５１と別の素材であれば差し支えなく、実施の形態１及び実施の形態３に記載の材質の組み合わせ等によって構成される。一つの例として環状体５１をプラチナの金属で、指腹抵抗体５６を天然皮革といった組み合わせがあげられる。また、指腹抵抗体５６のその他の素材として、有機高分子材料のゴムやプラスチックの発砲体、スポンジ体及びゲル体、粘土、紙及びダンボール等が追加材料としてあげられる。
【００９２】
また、指腹抵抗体５６の環状体５１への固定方法は、環状体５１と指腹抵抗体５６の部材の材質により縫着、接着、粘着、熱圧着又は熱融着等の方法で固定すればよい。また、指腹抵抗体５６を指と環状体５１の間に挟み込み、指と環状体５１との圧力で固定しても差し支えない。
【００９３】
また、めっきや真空蒸着によるメタライジング、ホットスタンピング及び塗装等を指腹抵抗体５６としても差し支えない。
【００９４】
以上のように構成することで、指背面５３と指腹面５４の摩擦係数を確実に異なるようにでき、片方の面に凹凸を付けたり、片方の面に水分を含ませる必要がなくなり、製造時や装着時の手間を省くことができる。
【００９５】
（実施の形態６）次に図８を用いて、本発明の実施の形態６について説明する。図８（Ａ）は、本発明の実施の形態６における運動用手装着体６０の正面図。図８（Ｂ）は、前記運動用手装着体６０のＹ６−Ｙ６断面図である。
【００９６】
この実施の形態６の運動用手装着体は、図８に示すように、環状体６１と重り部６２を一体成形とし、指腹抵抗体６６を該環状体６１と平面的になるように固定されている。
【００９７】
指腹抵抗体６６をゴムなどの弾性体の部材をし、このように指腹抵抗体６６を該環状体６１と平面的になるように固定することによって、多少であれば指のサイズの変化に対応することができる。
【００９８】
（実施の形態７）次に図９を用いて、本発明の実施の形態７について説明する。図９（Ａ）は、本発明の実施の形態７における運動用手装着体７０の正面図。図９（Ｂ）は、前記運動用手装着体７０のＹ７−Ｙ７断面図である。
【００９９】
この実施の形態７の運動用手装着体７０は、図９に示すように、環状体７１の指背側内側面に重り部７２を固定し、その重り部７２の内側に指背抵抗体７５を設け、そして指腹抵抗体７６を設けている。
【０１００】
この実施の形態７における環状体７１及び指背抵抗体７５の材質をゴムとし、指腹抵抗体７６を合成皮革としているが、その他の材質の組み合わせでもよい。
【０１０１】
このように重り部７２が環状体７１の内側に位置し、その重り部７２の内側に指背抵抗体７５を設け、そして指腹抵抗体７６を設けることによって、指背面７３と指腹面７４の摩擦係数を確実に異なるようにすることがでる。また、環状体７１の外周に重り部７２の凸部がなくなり、シンプルなデザインにすることができる。
【０１０２】
（実施の形態８）次に図１０を用いて、本発明の実施の形態８について説明する。図１０（Ａ）は、本発明の実施の形態８における運動用手装着体８０の平面図。図１０（Ｂ）は、前記運動用手装着体８０の正面図。図１０（Ｃ）は、前記運動用手装着体８０の指に装着するときの様子を表した図である。
【０１０３】
この実施の形態８の運動用手装着体８０は、図１０に示すように、環状体８１が一方及び他方を有する帯状形であって、指の第１節Ｅ１部分に巻き締めるための止着部８ａ及び８ｂを設けている。
【０１０４】
前記環状体８１の材質は、絹、綿、麻、毛等の単独或いは混合した天然繊維の布又はニット、ポリウレタン、ポリエステル、ナイロン、アクリル、テトロン、ビニロン等の単独或いは混合した合成繊維の布又はニット、天然繊維と合成繊維とを混合した布又はニット、ゴム糸又はスパンデックス繊維を混合した前記布又はニット、天然皮革、合成皮革、シリコン、ウレタン等の弾性体によって形成される。
【０１０５】
また、指の第１節Ｅ１部分に巻き締めるための止着方法としては、両端の止着部８ａ及び８ｂに面ファスナーを取り付け、自在に止着できるようになっている。
【０１０６】
このように構成することにより、運動用手装着体８０を装着時、指の太さに合わせることができ、予め指の太さに合わせたサイズを幾種類も作る必要がなく、一つの運動用装着体８０で、人差し指、中指、薬指及び小指のいずれの指にも装着することができる。
【０１０７】
（実施の形態９）次に図１１を用いて、本発明の実施の形態９について説明する。図１１（Ａ）は、本発明の実施の形態９における運動用手装着体９０の平面図。図１１（Ｂ）は、前記運動用手装着体９０の正面図。図１１（Ｃ）は、前記運動用手装着体９０の指に装着するときの様子を表した図である。
【０１０８】
この実施の形態９の運動用手装着体９０は、図１１に示すように、指の第１節Ｅ１部分に巻き締めるための止着方法を、止着部９ａを粘着体とし、自在に止着できるようになっている。また、環状体９１に飾り体９７が取り付けてある。
【０１０９】
このように止着部９ａを粘着体とすることにより製作手間が少なくすませることができ、また、飾り体９７を取り付けることによって、装飾性を有することができる。
【０１１０】
（実施の形態１０）次に図１２を用いて、本発明の実施の形態１０について説明する。図１２（Ａ）は、本発明の実施の形態１０における運動用手装着体１００の平面図。図１２（Ｂ）は、前記運動用手装着体１００の正面図。図１２（Ｃ）は、前記運動用手装着体１００の指に装着するときの様子を表した図である。
【０１１１】
この実施の形態１０の運動用手装着体１００は、図１２に示すように、一端の固定部１０ｃを中間の固定部１０ｄに固定して環状形を作り、指の第１節部分を巻き締めるための止着部１０ａ及び１０ｂを面ファスナーとしている。また、環状体１０１に固定される重り部１０２の反対側に、指背抵抗体１０３を設け、その重り部１０２の横側に環状体１０１と一体となった飾り部１０７を取り付けている。
【０１１２】
前記環状体１０１の一端の固定部１０ｃを中間の固定部１０ｄに固定する方法は、縫着、接着、粘着、熱圧着又は熱融着等の方法で固定すればよい。
【０１１３】
このように構成することにより、装着時に運動用手装着体１００の落下を防止することができる。
【０１１４】
（実施の形態１１）次に図１３を用いて、本発明の実施の形態１１について説明する。図１３（Ａ）は、本発明の実施の形態１１における運動用手装着体１１０の平面図。図１３（Ｂ）は、前記運動用手装着体１１０の正面図。図１３（Ｃ）は、前記運動用手装着体１１０の指に装着するときの様子を表した図である。
【０１１５】
この実施の形態１１の運動用手装着体１１０は、図１４に示すように、環状体１１１の指の第１節Ｅ１部分を巻き締めるための止着部１１ａをクリップ形態のものとし、環状体１１１の両端を挟み込んで止着すると伴に、指の第１節の太さに合わせて環状体１１１内径を自在に変更できるようになっている。
【０１１６】
また、図１３においては止着部１１ａをクリップ形態のものとしているが、例えば輪ゴムのような弾力性を有した輪状のもの、コの字型やロの字型形態のもので、環状体１１１の両端をその間に挟み込み又は挿入して止着するようにしたものであってもよい。
【０１１７】
（実施の形態１２）次に図１４を用いて、本発明の実施の形態１２について説明する。図１４（Ａ）は、本発明の実施の形態１２における運動用手装着体１２０の正面図。図１４（Ｂ）は、前記運動用手装着体１２０のＹ１２−Ｙ１２断面図である。
【０１１８】
この実施の形態１２の運動用手装着体１２０は、図１４に示すように、環状体１２１が２つの部材の指背部材１２ｅと指腹部材１２ｆで構成され、前記２つの部材がヒンジ部１２８によって連結されている。
【０１１９】
環状体１２１の２つの部材は、その形状が保たれる堅さのもの、例えば金属やプラスチック等の材料で構成され、２つの部材がヒンジ部１２８によって連結されており、前記連結された環状体１２１の両端を交差させることによって両部材の両端を固定し、指の第１節に装着するものである。
【０１２０】
このように構成することにより、運動用手装着体１２０の指の第１節Ｅ１部分への装着が簡単に行える。
【０１２１】
（実施の形態１３）次に図１５及び図１６を用いて、本発明の実施の形態１３について説明する。図１５は、本発明の実施の形態１３における運動用手装着体１３０の屈曲抵抗体を手袋本体に固定する様子を表した図で、（Ａ）は手掌側から見た図、（Ｂ）は手甲側から見た図である。図１６は、前記運動用手装着体１３０を親指側から見た図である。
【０１２２】
この実施の形態１３の運動用手装着体１３０は、図１５及び図１６に示すように、手掌を覆い第１節指腹部１３ａを含む手掌部１３Ａと手の甲を覆い第１節指背部１３ｂ及び中手指節関節部１３ｃを含む手甲部１３Ｂとを有する手袋本体１３１と、一方が中指の前記第１節指腹部１３ａに固定され、中指の橈側を螺旋状に巻くようにして通り、他方が中手指節関節部１３ｃ寄りの前記第１節指背部１３ｂに固定された屈曲抵抗体１３２とで構成されている。
【０１２３】
前記手袋本体１３１の材質は、絹、綿、麻、毛等の単独或いは混合した天然繊維の布又はニット、ポリウレタン、ポリエステル、ナイロン、アクリル、テトロン、ビニロン等の単独或いは混合した合成繊維の布又はニット、天然繊維と合成繊維とを混合した布又はニット、ゴム糸又はスパンデックス繊維を混合した前記布又はニット、天然皮革、合成皮革、ポリエステル樹脂、塩化ビニル樹脂等のプラスチック、天然ゴム、ブチルゴムやブタジエンゴム等の合成ゴムの弾性体があげられる。
【０１２４】
また、前記屈曲抵抗体１３２の材質についても、前記に掲げた材質のものが挙げられ、屈曲抵抗体１３２の素材が手袋本体１３１の素材と同じであってもよく、異なってもよい。
【０１２５】
また、屈曲抵抗体１３２の幅は、手袋本体の材質や厚さによって０．１ｃｍ〜２．５ｃｍ程度の間で調節するものとし、好ましくは０．５ｃｍ〜２．０ｃｍ、より好ましくは１．０ｃｍ〜１．８ｃｍがよい。
【０１２６】
また、屈曲抵抗体１３２の手袋本体１３１への固定方法は、縫着、接着、粘着、熱圧着又は熱融着等の方法で固定すればよい。
【０１２７】
このように構成することで、前記屈曲抵抗体１３２が、対象物把持の初期の段階で、中指のＭＰ関節を能動的に屈曲させ、ＰＩＰ関節の屈曲を通常の動きより遅らせる働きをする。それにより、手首の内外転運動のスムーズな動きと運動範囲を確保することが可能となって、手の運動性向上に寄与することができる。
【０１２８】
（実施の形態１４）次に図１７を用いて、本発明の実施の形態１４について説明する。図１７（Ａ）は、本発明の実施の形態１４における運動用手装着体１４０を手甲側から見た図。図１７（Ｂ）は、前記運動用手装着体１４０を手掌側から見た図である。
【０１２９】
この実施の形態１４の運動用手装着体１４０は、図１７に示すように、手掌を覆い第１節指腹部１４ａを含む手掌部１４Ａと手の甲を覆い第１節指背部１４ｂ及び中手指節関節部１４ｃを含む手甲部１４Ｂとを有する手袋本体１４１と、一方が中指、薬指、小指の前記各第１節指腹部１４ａに固定され、各指の尺側を螺旋状に巻くようにして通り、他方が中手指節関節部１４ｃ寄りの前記各第１節指背部１４ｂに固定された各屈曲抵抗体１４２とで構成されている。
【０１３０】
このように構成することで、デザイン性に富み、確実に手首の内外転運動のスムーズな動きと運動範囲を確保することが可能となって、手の運動性向上に寄与することができる。
【０１３１】
（実施の形態１５）次に図１８を用いて、本発明の実施の形態１５について説明する。図１８（Ａ）は、本発明の実施の形態１５における運動用手装着体１５０を手甲側から見た図。図１８（Ｂ）は、前記運動用手装着体１５０を手掌側から見た図である。
【０１３２】
この実施の形態１５の運動用手装着体１５０は、図１８に示すように、手掌を覆い第１節指腹部１５ａを含む手掌部１５Ａと手の甲を覆い第１節指背部１５ｂ及び中手指節関節部１５ｃを含む手甲部１５Ｂとを有する手袋本体１５１と、一方が中指、薬指、小指の前記各第１節指腹部１５ａの裏面に固定され、各指の橈側を螺旋状に巻くようにして通り、他方が中手指節関節部１５ｃ寄りの前記各第１節指背部１５ｂの裏面に固定された各屈曲抵抗体１５２とで構成されている。
【０１３３】
このように構成することで、手袋本体１５１のデザインを自由に施すことができる。
【０１３４】
（実施の形態１６）次に図１９を用いて、本発明の実施の形態１６について説明する。図１９（Ａ）は、本発明の実施の形態１６における運動用手装着体１６０を手甲側から見た図。図１９（Ｂ）は、前記運動用手装着体１６０を手掌側から見た図である。
【０１３５】
この実施の形態１６の運動用手装着体１６０は、図１９に示すように、手掌を覆い第１節指腹部１６ａを含む手掌部１６Ａと手の甲を覆い第１節指背部１６ｂ及び中手指節関節部１６ｃを含む手甲部１６Ｂとを有し、第１指から第５指の指袋が無い手袋本体１６１と、一方が中指及び薬指の前記各第１節指腹部１６ａに固定され、中指の橈側及び薬指の尺側を螺旋状に巻くようにして通り、他方が中手指節関節部１６ｃ寄りの前記各第１節指背部１６ｂに固定された各屈曲抵抗体１６２とで構成されている。
【０１３６】
（実施の形態１７）次に図２０を用いて、本発明の実施の形態１７について説明する。図２０（Ａ）は、本発明の実施の形態１７における運動用手装着体１７０を手甲側から見た図。図２０（Ｂ）は、前記運動用手装着体１７０を手掌側から見た図である。
【０１３７】
この実施の形態１７の運動用手装着体１７０は、図２０に示すように、手掌を覆い第１節指腹部１７ａを含む手掌部１７Ａと手の甲を覆い第１節指背部１７ｂ及び中手指節関節部１７ｃを含む手甲部１７Ｂとを有する手袋本体１７１と、一方が人差し指、中指、薬指及び小指の前記各第１節指腹部１７ａに固定され、各指の橈側を螺旋状に巻くようにして通り、他方が中手指節関節部１７ｃ寄りの前記各第１節指背部１７ｂに固定された各屈曲抵抗体１７２とで構成されている。
【０１３８】
（実施の形態１８）次に図２１を用いて、本発明の実施の形態１８について説明する。図２１は、本発明の実施の形態１８における運動用手装着体１８０を手甲の親指側から見た図である。
【０１３９】
この実施の形態１８の運動用手装着体１８０は、図２１に示すように、手掌を覆い第１節指腹部１８ａを含む手掌部と手の甲を覆い第１節指背部１８ｂ及び中手指節関節部１８ｃを含む手甲部１８Ｂとを有する手袋本体１８１と、一方が人差し指の前記第１節指腹部の橈側横に固定され、指の尺側を螺旋状に巻くようにして通り、他方が中手指節関節部１８ｃ寄りの前記第１節指背部１８ｂに固定された屈曲抵抗体１８２とで構成されている。
【０１４０】
（実施の形態１９）次に図２２〜図２４を用いて、本発明の実施の形態１９について説明する。図２２は、本発明の実施の形態１９における運動用手装着体１９０を手甲側から見た図である。図２３は、前記運動用手装着体１９０を手甲の親指側から見た図である。図２４（Ａ）は、本発明の実施の形態１９における運動用手装着体１９０の引張体１９２の平面図。図２４（Ｂ）は、引張体１９２を野球用グローブ本体１９１へ固定した状態を表した図である。
【０１４１】
この実施の形態１９の運動用手装着体１９０は、図２２〜図２４に示すように、小指第１節指腹下部１９Ａと手甲皮部１９Ｂとを有する野球用グローブ本体１９１と、一方が前記小指第１節指腹下部１９Ａに固定され、小指の尺側を巻きながら通って人差し指方向に向かい、他方が前記手甲皮部１９Ｂに固定された引張体１９２とで構成される。
【０１４２】
前記引張体１９２の材質は、絹、綿、麻、毛等の単独或いは混合した天然繊維の布又はニット、ポリウレタン、ポリエステル、ナイロン、アクリル、テトロン、ビニロン等の単独或いは混合した合成繊維の布又はニット、天然繊維と合成繊維とを混合した布又はニット、ゴム糸又はスパンデックス繊維を混合した前記布又はニット、天然皮革、合成皮革、ポリエステル樹脂、塩化ビニル樹脂等のプラスチック、天然ゴム、ブチルゴムやブタジエンゴム等の合成ゴムの弾性体があげられる。
【０１４３】
また、引張体１９２の幅は、０．２ｃｍ程度の紐状形〜２．５ｃｍ程度の帯状形であればよく、好ましくは１．０ｃｍ〜２．０ｃｍの幅がよい。
【０１４４】
また、引張体１９２の野球グローブ本体１９１への固定方法は、図２２〜図２４において示すように、引張体１９２の両端の引張体固定部１９ｃ及び１９ｄを面ファスナーとし、野球グローブ本体１９１の小指第１節指腹部１９Ａの本体固定部１９ａと手甲部１９Ｂの本体固定部１９ｂにも面ファスナーを取り付けて、自在に着脱可能とする固定方法としている。
【０１４５】
また、他の固定方法として、縫着、接着、粘着、熱圧着又は熱融着等で固定してもよいが、手を運動用装着体１９０に装着する際、装着のしやすさを考慮すると、本体固定部１９ａ及び引張体固定部１９ｃの方は着脱不可能なように固定してもよいが、本体固定部１９ｂ及び引張体固定部１９ｄの方は、面ファスナーや粘着等による着脱可能な方法で固定するほうが好ましい。
【０１４６】
このように構成することにより、ボールを捕球しようとする際、小指のＭＰ関節を能動的に屈曲させることにより小指中手骨の過度の斜位がつくことがなく、その結果、手首の運動性が向上し、ボールの捕球範囲が広まるものである。また、ピッチングにおいても運動用手装着体１９０を装着した方の腋をしっかりと締めることができ、投球ホームの安定へとつなげることができる。
【０１４７】
（実施の形態２０）次に図２５を用いて、本発明の実施の形態２０について説明する。図２５（Ａ）は、本発明の実施の形態２０における運動用手装着体の引張体２０２の平面図。図２５（Ｂ）は、引張体２０２を野球用グローブ本体２０１へ固定した状態を表した図である。
【０１４８】
この実施の形態２０の引張体２０２は、図２５に示すように引張体の一方の端を２つに分けて引張体固定部２０ｃとし、野球用グローブ本体２０１の小指第一節指腹部２０Ａに２カ所切り目を入れ、そこに前記引張体の２つに分かれた引張体固定部２０ｃを入れて内部で結んで固定している。
【０１４９】
（実施の形態２１）次に図２６を用いて、本発明の実施の形態２１について説明する。図２６は、本発明の実施の形態２１における運動用手装着体２１０を手甲側から見た図であり、キャッチャーミットを表した図である。図２６に示すように手甲皮部２１Ｂの一部に切れ目を入れ、そこから引張体２１２を取り出して手甲皮部２１Ｂに固定している。
【０１５０】
（実施の形態２２）次に図２７及び図３５を用いて、本発明の実施の形態２２について説明する。図２７（Ａ）は、本発明の実施の形態２２における運動用手装着体２２０の引張体２２２の平面図。図２７（Ｂ）は、前記引張体２２２を野球用グローブ本体２２１へ装着した状態を表した図である。図３５は、運動用手装着体の装着状態を手甲側から表した図で、（Ａ）は引張体１９２の引っ張り力が作用する方向を示した図、（Ｂ）はアジャスト部２２３を備えた引張体２２２の引っ張り力が作用する方向を示した図である。
【０１５１】
この実施の形態２２の引張体２２２は、図２７に示すように、小指を巻き終えあたりから手甲皮部側にいくにつれて徐々に幅を広くしたアジャスト部２２３を備えている。このような構成にすることによって、図３５に示すように、帯状体の引張体１９２と比べてアジャスト部２２３を備えた引張体２２２の方が、その引っ張り力が作用する方向がより手の甲の横側方向に向くため、野球用グローブ本体と手との一体感を向上させることができる。
【産業上の利用可能性】
【０１５２】
本発明によれば、対象物を把持するときに手首の運動性向上に寄与するものであり、スポーツのときはもちろん音楽演奏、彫刻等の芸術的創作活動及び各種作業など幅広く産業上に利用されるものであり、利用者に多大なる貢献をもたらすものと考える。
【図面の簡単な説明】
【０１５３】
【図１】本発明の実施の形態１における運動用手装着体を斜めから見た図である。
【図２】本発明の実施の形態１における運動用手装着体の装着状態を表した図である。
【図３】本発明の実施の形態２における運動用手装着体を斜めから見た図である。
【図４】本発明の実施の形態３における運動用手装着体の正面図（Ａ）と断面図（Ｂ）である。
【図５】（Ａ）は本発明の実施の形態３における運動用手装着体を指に装着するときの様子を表した図、（Ｂ）は装着状態を指先方向から見た図である。
【図６】本発明の実施の形態４における運動用手装着体の正面図（Ａ）と断面図（Ｂ）である。
【図７】本発明の実施の形態５における運動用手装着体の正面図（Ａ）と断面図（Ｂ）である。
【図８】本発明の実施の形態６における運動用手装着体の正面図（Ａ）と断面図（Ｂ）である。
【図９】本発明の実施の形態７における運動用手装着体の正面図（Ａ）と断面図（Ｂ）である。
【図１０】本発明の実施の形態８における運動用手装着体の平面図（Ａ）と正面図（Ｂ）と指に装着するときの様子を表した図（Ｃ）である。
【図１１】本発明の実施の形態９における運動用手装着体の平面図（Ａ）と正面図（Ｂ）と指に装着するときの様子を表した図（Ｃ）である。
【図１２】本発明の実施の形態１０における運動用手装着体の平面図（Ａ）と正面図（Ｂ）と指に装着するときの様子を表した図（Ｃ）である。
【図１３】本発明の実施の形態１１における運動用手装着体の平面図（Ａ）と正面図（Ｂ）と指に装着するときの様子を表した図（Ｃ）である。
【図１４】本発明の実施の形態１２における運動用手装着体の正面図（Ａ）と断面図（Ｂ）である。
【図１５】本発明の実施の形態１３における運動用手装着体の屈曲抵抗体を手袋本体に固定する様子を表した図で、（Ａ）は手掌側から見た図、（Ｂ）は手甲側から見た図である。
【図１６】本発明の実施の形態１３における運動用手装着体を親指側から見た図である。
【図１７】本発明の実施の形態１４における運動用手装着体を手甲側から見た図（Ａ）と手掌側から見た図（Ｂ）である。
【図１８】本発明の実施の形態１５における運動用手装着体を手甲側から見た図（Ａ）と手掌側から見た図（Ｂ）である。
【図１９】本発明の実施の形態１６における運動用手装着体を手甲側から見た図（Ａ）と手掌側から見た図（Ｂ）である。
【図２０】本発明の実施の形態１７における運動用手装着体を手甲側から見た図（Ａ）と手掌側から見た図（Ｂ）である。
【図２１】本発明の実施の形態１８における運動用手装着体を手甲の親指側から見た図である。
【図２２】本発明の実施の形態１９における運動用手装着体を手甲側から見た図である。
【図２３】本発明の実施の形態１９における運動用手装着体を手甲の親指側から見た図である。
【図２４】本発明の実施の形態１９における運動用手装着体の引張体の平面図（Ａ）と引張体を野球用グローブ本体へ固定した状態を表した図（Ｂ）である。
【図２５】本発明の実施の形態２０における運動用手装着体の引張体の平面図（Ａ）と引張体を野球用グローブ本体へ固定した状態を表した図（Ｂ）である。
【図２６】本発明の実施の形態２１における運動用手装着体を手甲側から見た図である。
【図２７】本発明の実施の形態２２における運動用手装着体の引張体の平面図（Ａ）と引張体を野球用グローブ本体へ装着した状態を表した図（Ｂ）である。
【図２８】手の骨格を表した図である。
【図２９】手首（手根）の運動を表した図で、（Ａ）は内転と外転運動を表した図、（Ｂ）は屈曲と伸展運動を表した図である。
【図３０】（Ａ）は手根関節外転時における手根骨の配列を表した図で、（Ｂ）は手根関節内転時における手根骨の配列を表した図
【図３１】手根中手関節における運動の可動域が第２指から第５指にかけて増加することを表した図で、（Ａ）は手根中手関節の骨の様子を表した図、（Ｂ）は手の甲の小指側（第５指）から表した図である。
【図３２】指関節の屈曲−伸展運動と運動に関与する主要筋を表した図である。
【図３３】ＰＩＰ関節の屈曲に伴う皮膚の変化と、環状体が関係する力を推測した図で、（Ａ）は環状体が皮膚の変化より受ける力を表した図、（Ｂ）は環状体の指背面と指腹面の摩擦係数が同じ場合の反作用推測図、（Ｃ）は環状体の指背面と指腹面の摩擦係数が異なる場合の反作用推測図である。
【図３４】運動用手装着体の屈曲抵抗体が指関節に与える作用を表した図である。
【図３５】運動用手装着体の装着状態を手甲側から表した図で、（Ａ）は引張体の引っ張り力が作用する方向を示した図、（Ｂ）はアジャスト部を備えた引張体の引っ張り力が作用する方向を示した図である。
【符号の説明】
【０１５４】
Ｈ 親指（第１）、Ｉ 人差し指（第２）、Ｊ 中指（第３）、Ｋ 薬指（第４）、Ｌ 小指（第５）。
ａ 橈骨、ｂ 尺骨。
ｃ１８ 手根骨、ｃ１ 舟状骨、ｃ２ 月状骨、ｃ３ 三角骨、ｃ４ 豆状骨、ｃ５ 大菱形骨、ｃ６ 小菱形骨、ｃ７ 有頭骨、ｃ８ 有鉤骨。
ｄ 中手骨、ｅ１ 基節骨、ｅ２ 中節骨、ｅ３ 末節骨。
ＲＪ 橈骨手根関節、ＭＪ 手根中央関節、ＣＪ 手根中手関節。
ＭＰ 中手指節関節、ＰＩＰ 近位指節関節、ＤＩＰ 遠位指節関節。
Ｅ１ 第１節、Ｅ２ 第２節、Ｅ３ 第３節。
１０，２０，３０，４０，５０，６０，７０，８０，９０，１００，１１０，１２０ 運動用手装着体
１１，２１，３１，４１，５１，６１，７１，８１，９１，１０１，１１１，１２１ 環状体
１２，２２，３２，４２，５２，６２，７２，８２，９２，１０２，１１２，１２２ 重り部
１３，２３，３３，４３，５３，６３，７３，８３，９３，１０３，１１３，１２３ 指背面
１４，２４，３４，４４，５４，６４，７４，８４，９４，１０４，１１４，１２４ 指腹面
５５，７５，１０５ 指背抵抗体
６６，７６，１１６ 指腹抵抗体
９７，１０７ 飾り体
１２８ ヒンジ部
８ａ，９ａ，１０ａ，１１ａ 止着部
８ｂ，１０ｂ，止着部
１０ｃ 固定部
１０ｄ 固定部
１２ｅ 指背部材
１２ｆ 指腹部材
１３０，１４０，１５０，１６０，１７０，１８０ 運動用手装着体
１３１，１４１，１５１，１６１，１７１，１８１ 手袋本体
１３Ａ，１４Ａ，１５Ａ，１６Ａ，１７Ａ 手掌部
１３ａ，１４ａ，１５ａ，１６ａ，１７ａ，１８ａ 第１節指腹部
１３Ｂ，１４Ｂ，１５Ｂ，１６Ｂ，１７Ｂ，１８Ｂ 手甲部
１３ｂ，１４ｂ，１５ｂ，１６ｂ，１７ｂ，１８ｂ 第１節指背部
１３ｃ，１４ｃ，１５ｃ，１６ｃ，１７ｃ，１８ｃ 中手指節関節部
１３２，１４２，１５２，１６２，１７２，１８２ 屈曲抵抗体
１９０，２１０，２２０ 運動用手装着体
１９１，２０１，２１１，２２１ 野球用グローブ本体
１９Ａ，２０Ａ，２２Ａ 小指第１節指腹下部
１９Ａ，２１Ｂ，２２Ｂ 手甲皮部
１９ａ 本体固定部
１９ｂ 本体固定部
１９２，２０２，２１２，２２２ 引張体
１９ｃ，２０ｃ，２１ｃ，２２ｃ 引張体固定部
１９ｄ，２０ｄ，２１ｄ，２２ｄ 引張体固定部
２２３ アジャスト部
【図１】
2005152403.tif 000003
【図２】
2005152403.tif 000004
【図３】
2005152403.tif 000005
【図４】
2005152403.tif 000006
【図５】
2005152403.tif 000007
【図６】
2005152403.tif 000008
【図７】
2005152403.tif 000009
【図８】
2005152403.tif 000010
【図９】
2005152403.tif 000011
【図１０】
2005152403.tif 000012
【図１１】
2005152403.tif 000013
【図１２】
2005152403.tif 000014
【図１３】
2005152403.tif 000015
【図１４】
2005152403.tif 000016
【図１５】
2005152403.tif 000017
【図１６】
2005152403.tif 000018
【図１７】
2005152403.tif 000019
【図１８】
2005152403.tif 000020
【図１９】
2005152403.tif 000021
【図２０】
2005152403.tif 000022
【図２１】
2005152403.tif 000023
【図２２】
2005152403.tif 000024
【図２３】
2005152403.tif 000025
【図２４】
2005152403.tif 000026
【図２５】
2005152403.tif 000027
【図２６】
2005152403.tif 000028
【図２７】
2005152403.tif 000029
【図２８】
2005152403.tif 000030
【図２９】
2005152403.tif 000031
【図３０】
2005152403.tif 000032
【図３１】
2005152403.tif 000033
【図３２】
2005152403.tif 000034
【図３３】
2005152403.tif 000035
【図３４】
2005152403.tif 000036
【図３５】
2005152403.tif 000037